(57)【特許請求の範囲】
【請求項１】
便器と、被洗浄部に洗浄水を噴出する洗浄ノズルと、便座と、便蓋と、前記洗浄ノズルへ洗浄水を供給する洗浄水を保温する温水用発熱ヒータと、前記洗浄ノズルへの洗浄水の供給を制御すると共に前記温水用発熱ヒータを通常状態あるいは節電状態に切り換える制御装置とを備え、
前記制御装置は、前記洗浄水を噴出して洗浄を終了すると前記温水用発熱ヒータは前記通常状態となり、前記通常状態になり一定時間経過すると前記温水用発熱ヒータは前記節電状態に戻る制御を行うことを特徴とする人体局部洗浄装置。
【発明の詳細な説明】
【０００１】
【発明の属する技術分野】
本発明は、洗浄ノズルを有した人体局部洗浄装置に関する。
【０００２】
【従来の技術】
従来より、人体局部洗浄装置に人体検知機能を持たせて、ヒータを付勢する人体局部洗浄装置がある。この装置として、特開昭５８−５８３４２号公報（以下従来技術１という）、特開昭６０−１０５７３１号公報（以下従来技術２という）がある。この装置は、前者は、トイレ室内に使用者が入室したことを検知する人体検知センサを有し、後者は便座に座った時、検知する着座検知センサを有している。
【０００３】
これらは、使用者が使用しない間、つまり人体検知センサあるいは着座検知センサがＯＦＦのとき、温水ヒータへの通電制御（設定温度より低く、且つ快適使用温度の下限程度の待機温度に制御している。）を行い、省エネ化を図っている。このように従来技術１、２共、検知センサＯＮによりヒータ通電を行うような制御方法を行っている。
【０００４】
【発明が解決しようとする課題】
しかしながら、従来技術１の人体検知センサ、従来技術２の着座センサのＯＮＯＦＦとして温水ヒータへの通電をＯＮ、ＯＦＦ機能は、使用者が入室しただけで洗浄を使用しなかったり、着座しただけで洗浄を使用しなかった場合にも温水ヒータへの通電を行ってしまい無駄な電力を消費してしまうことがある。
【０００５】
本発明は上記課題を解決したもので、洗浄した時のみに温水ヒータへの通電制御を行うことにより、無駄な電力消費を抑える人体局部洗浄装置を提供するものである。
【０００６】
【課題を解決するための手段】
上記技術的課題を解決するために、本発明の請求項１において講じた技術的手段（以下、第１の技術的手段と称する）は、
便器と、被洗浄部に洗浄水を噴出する洗浄ノズルと、便座と、便蓋と、前記洗浄ノズルへ洗浄水を供給する洗浄水を保温する温水用発熱ヒータと、前記洗浄ノズルへの洗浄水の供給を制御すると共に前記温水用発熱ヒータを通常状態あるいは節電状態に切り換える制御装置とを備え、前記制御装置は、前記洗浄水を噴出して洗浄を終了すると前記温水用発熱ヒータは前記通常状態となり、前記通常状態になり一定時間経過すると前記温水用発熱ヒータは前記節電状態に戻る制御を行うことを特徴とする人体局部洗浄装置である。
【０００７】
上記第１の技術的手段による効果は、以下のようである。
【０００８】
即ち、洗浄したときのみ（温水を使ったときのみ）に温水ヒータへの通電制御を行うことで、無駄な電力消費を抑えることが可能となるといった効果を有する。
【００１１】
また、一定時間後、節電に戻るので、切り忘れがなくなり、無駄な消費電力を確実に減らせる。
【００１２】
【発明の実施の形態】
以下、本発明の実施例について、図面に基づいて説明する。
【００１３】
本例の人体局部洗浄装置１は、図１に示すごとく、温水洗浄手段６と温風乾燥手段とを有する本体１０と、本体１０に設けた本体スイッチパネル２とよりなる。
【００１４】
上記各手段は本体スイッチパネル２により操作できるように構成してある。上記本体１０は、洗浄ノズル６１、６２等よりなる温水洗浄手段６、温風乾燥手段（図示略）を有している。また本体１０は、便座８１、便蓋８２を備え、陶器製便器８３の上方に配置してある。
【００１５】
また、本体１０の側部上面には、上記本体スイッチパネル２を配置してある。
【００１６】
本体スイッチパネル２は、肛門洗浄、ビデ洗浄、温風乾燥等の作動をストップさせるストップボタン２０、肛門洗浄用操作ボタン２１、ソフトな洗浄が可能なソフト肛門洗浄用操作ボタン２９、ビデ洗浄用操作ボタン２２、温風を吹き出させるドライボタン２３が配設されている。
【００１７】
また、便座の温度の高さを調整するための便座ボタン３０、シャワー等の水温を調整する温水ボタン３１が配置されている。さらに、図示されていないが、洗浄の広がりを調整するためのワイド洗浄入／切ボタン、洗浄位置前進ボタン、その後退ボタンが配設されている。また、洗浄強さを調整する強、弱ボタンからなる洗浄強さボタン、また人体の有無を検知する人体検知センサＳが本体１０の側部上面に配設されている。さらに図示しないが、後述する前記温水用発熱ヒータＨの付勢を選択可能とするスイッチボタンを人体局部洗浄装置に備えている。それゆえ、通常モードから節電モードへの切り換え（あるいは逆）を選択可能とすることができる。
【００１８】
便蓋８２と便座８１の回動部周辺には、便蓋８２と便座８１の同軸上となり、少なくとも便蓋８２と結合しているシャフト２０１には、自動開閉装置２００が配設されている。この自動開閉装置２００は人の有無を検知して便蓋８２を開状態にしたり、閉状態に作動させる装置である。図２に示すように、この自動開閉装置のシャフト２０１には、抵抗体２０４が配設されている。またこの抵抗体２０４と対向する位置に位置検知センサ２０２が配設されている。シャフト２０１の回転により、抵抗体２０４と位置検知センサ２０２が離間したり相対向したりする。
【００１９】
なお、図２は図１の自動開閉装置２００を概念的に表わした図であるが、この位置検知センサ２０２と抵抗体２０４は具体的には、図３のようにシャフト２０１の軸方向からみた図に示すように、ギヤＧに固定されたブラシＢが位置検知センサに相当するポテンション基板２０２の抵抗体２０４上をスライドすることにより、マイコンへの信号が閉位置で０Ｖから開位置で５Ｖまでリニアに変化する。この信号で便蓋の自動開閉動作をマイコンにて制御する。
【００２０】
つまり、出力軸になるシャフト２０１が人体の有無を検知して自動的に便蓋が開作動する。このとき、シャフト２０１が回動するため、位置検知センサ２０２と抵抗体２０４が離間するため、マイコンへの信号が０Ｖから５Ｖに変化する。
【００２１】
続いて、本発明の時間に対する温水ヒータ通電状態、洗浄用操作ボタン、ストップボタンあるいは他の洗浄用操作ボタンのＯＮ−ＯＦＦ切り換え信号を示すチャート図を図５に示す。
【００２２】
（ｂ）に示すように、肛門洗浄用操作ボタン２１、ソフトな洗浄が可能なソフト肛門洗浄用操作ボタン２９、ビデ洗浄用操作ボタン２２のいずれかを使用者が操作すると、その信号が洗浄開始信号がＯＮ状態になる。その後、（ｃ）に示すように、ストップボタン２０あるいは他の洗浄用操作ボタン等を押圧し、最初に押圧した洗浄状態が終了信号が検知されると、（ａ）に示すように温水ヒータ通電状態が節電状態から通常通電状態になるよう温水用発熱ヒータＨを制御する。その後一定時間（例えば１分）通常状態が続き、節電状態に戻る。それゆえ、使用者が通常状態のまま忘れるといったことが防止できる。
【００２３】
なお図６は従来の人体検知センサのＯＮ，ＯＦＦによる温水ヒータ通電状態の通常と節電状態を表わしたタイムチャート図である。
【００２４】
図４は洗浄用操作ボタン２１、２９、２２と制御装置Ｓが接続されている。制御装置Ｓは、上記で説明した制御が記憶されたコントロール基板に配置されたマイコンＭ等からなる。制御装置Ｓは温水用発熱ヒータＨと接続されている。この温水用発熱ヒータＨは温水タンクＴ内に収納されている。
【００２５】
なお本発明の実施例では、ストップボタンあるいは他の洗浄用操作ボタンを押圧したとき、つまり所望とする洗浄用操作ボタンを終えたときに節電から通常状態になるような制御にしたが、所望とする洗浄用操作ボタンを押した開始時期において、節電状態から通常状態に制御してもよい。
【００２６】
【発明の効果】
本発明は、以下の如く効果を有する。
【００２７】
即ち、便器と、被洗浄部に洗浄水を噴出する洗浄ノズルと、便座と、便蓋と、前記洗浄ノズルへ洗浄水を供給する洗浄水を保温する温水用発熱ヒータと、前記洗浄水が噴出したという信号あるいは前記洗浄水が噴出が終了したという信号があったとき、前記温水用発熱ヒータの節電機能を解除する制御装置を備えたことを特徴とする人体局部洗浄装置であるので、無駄な電力消費を抑えることが可能となるといった効果を有する。
【図面の簡単な説明】
【図１】本発明の人体局部洗浄装置の全体斜視図
【図２】自動開閉装置の斜視図
【図３】自動開閉装置の軸方向からみた図
【図４】本発明のブロック図
【図５】本発明のタイムチャート図
【図６】従来技術のタイムチャート図
【符号の説明】
８３…便器
６１…洗浄ノズル
６２…洗浄ノズル
８１…便座
８２…便蓋
Ｓ…制御装置
Ｈ…温水用発熱ヒータ
１０…本体
【図１】
0004207253.tif 000002
【図２】
0004207253.tif 000003
【図３】
0004207253.tif 000004
【図４】
0004207253.tif 000005
【図５】
0004207253.tif 000006
【図６】
0004207253.tif 000007